(57)【要約】【課題】受話器にコネクタを用いながら、別途抜止め部を設けることなく、使用時における意図しないコネクタの接続解除を防止する。【解決手段】受話器に、筒状の導体で構成され、イヤホン本体２０側に設けられるイヤホン本体側外部接点２５０と、イヤホン本体側外部接点２５０の内部にイヤホン本体側絶縁体２１０を介して配置されるイヤホン本体側内部接点２６０と、筒状の導体で構成され、ケーブル３０側に設けられるケーブル側外部接点１５０と、ケーブル側外部接点１５０の内部にケーブル側絶縁体１１０を介して配置されるケーブル側内部接点１６０とを備えて同軸コネクタを構成し、外部接点１５０、２５０同士をねじ嵌合させるコネクタを設ける。【選択図】図６
2015076769.tif 000002
【特許請求の範囲】
【請求項１】
受話器本体とケーブルおよびそれぞれを電気的に接続させるコネクタを有する受話器であって、
前記コネクタは筒状の導体で構成され、前記本体側に設けられる本体側外部接点と、
前記本体側外部接点の内部に絶縁体を介して配置される本体側内部接点と、
筒状の導体で構成され、前記ケーブル側に設けられるケーブル側外部接点と、
前記ケーブル側外部接点の内部に絶縁体を介して配置されるケーブル側内部接点とを備え、
前記本体側外部接点と前記ケーブル側外部接点との嵌合に応じて、前記外部接点同士及び前記内部接点同士が電気的に接続される同軸コネクタを構成するとともに、前記外部接点同士をねじ嵌合させ、
前記本体側外部接点が前記受話器本体と相対的に回転しないよう前記受話器本体に取り付けられることを特徴とする受話器。
【請求項２】
前記本体側外部接点が、前記受話器本体に係合して前記本体側外部接点を回止めする外部接点回止め係合部を一体的に備えることを特徴とする請求項１に記載の受話器。
【請求項３】
前記本体側内部接点が、前記受話器本体に係合して前記本体側内部接点を回止めする内部接点回止め係合部を一体的に備え、前記受話器本体に、前記外部接点回止め係合部と前記内部接点回止め係合部と係合する本体係合部を備えることを特長とする請求項２記載の受話器。
【請求項４】
前記本体側外部接点又は前記ケーブル側外部接点に、前記ねじ嵌合に応じて両外部接点間で圧縮されるワッシャ状のねじ緩み防止部材が設けられることを特徴とする請求項１乃至３に記載の受話器用コネクタ。
【発明の詳細な説明】
【技術分野】
【０００１】
本発明は、イヤホンやヘッドホン等の受話器の本体とケーブルを電気的に接続させるコネクタを用いた受話器に関する。
【背景技術】
【０００２】
従来のイヤホンやヘッドホン等の受話器においては、例えばドライバユニットの収納されたイヤホン本体とケーブルが一体的に接続されているので、ケーブルに断線等の不具合が発生した場合、ケーブルとともにイヤホン本体も交換しなければならず、ユーザの費用負担が大きかった。
【０００３】
そこで、特許文献１に示されるように、差込式のコネクタを介してケーブルをイヤホン本体に接続するようにし、ケーブルの取り外しや交換を可能にしたイヤホンも提案されている。
【先行技術文献】
【特許文献】
【０００４】
【特許文献１】特開２０１１−２３４１２４号公報
【発明の概要】
【発明が解決しようとする課題】
【０００５】
しかしながら、差込式のコネクタは、保持力が小さいので、使用中にケーブルが引張られると、容易に接続が解除されてしまうという問題があった。
【０００６】
なお、特許文献１のイヤホンでは、イヤホン本体側及びケーブル側に抜止め部（第１係止構造）を付加し、イヤホン本体とケーブルを接続したとき、イヤホン本体側及びケーブル側の抜止め部が互いに係止してケーブルを抜止めしているが、このような抜止め部を付加すると、イヤホン本体側及びケーブル側の接続部が大型化するだけでなく、構造が複雑になるという新たな問題が生じていた。
【０００７】
そこで、本発明は、上記の問題点に鑑みなされたものであって、受話器本体とケーブルを電気的に接続させるコネクタでありながら、別途抜止め部を設けることなく、使用時における意図しないコネクタの接続解除を防止するとともに、接点同士の堅牢な接続を実現し、瞬断の発生も防止することができるコネクタを用いた受話器の提供を目的とする。
【課題を解決するための手段】
【０００８】
本発明は上記目的を達成するために提案されたものであり、受話器本体とケーブルおよびそれぞれを電気的に接続させるコネクタを有する受話器であって、前記コネクタは、筒状の導体で構成され、前記本体側に設けられる本体側外部接点と、前記本体側外部接点の内部に絶縁体を介して配置される本体側内部接点と、筒状の導体で構成され、前記ケーブル側に設けられるケーブル側外部接点と、前記ケーブル側外部接点の内部に絶縁体を介して配置されるケーブル側内部接点とを備え、前記本体側外部接点と前記ケーブル側外部接点との嵌合に応じて、前記外部接点同士及び前記内部接点同士が電気的に接続される同軸コネクタを構成するとともに、前記外部接点同士をねじ嵌合させ、前記コネクタが本体側外部接点が前記受話器本体と相対的に回転しないよう前記受話器本体に取り付けられることを特徴とする。
【発明の効果】
【０００９】
本発明によれば、イヤホン本体とケーブルを電気的に接続させるねじ嵌合コネクタにより、別途抜止め部を設けることなく、使用時における意図しないコネクタの接続解除を防止するとともに、接点同士の堅牢な接続を実現し、瞬断の発生も防止することができる。
【図面の簡単な説明】
【００１０】
【図１】本発明の第１実施形態に係る受話器のイヤホンのケーブル接続状態を示す図であり、（ａ）はイヤホンの正面側斜視図、（ｂ）はイヤホンの背面側斜視図である。
【図２】本発明の第１実施形態に係る受話器のイヤホンのケーブル接続状態を示す図であり、（ａ）はイヤホンの正面図、（ｂ）はイヤホンの側面図である。
【図３】本発明の第１実施形態に係る受話器のイヤホンのケーブル接続解除状態を示す図であり、（ａ）はイヤホンの正面側斜視図、（ｂ）はイヤホンの背面側斜視図である。
【図４】本発明の第１実施形態に係る受話器のイヤホンのケーブル接続解除状態を示す図であり、（ａ）はイヤホンの正面図、（ｂ）はイヤホンの側面図である。
【図５】本発明の第１実施形態に係る受話器のイヤホンのケーブル接続状態を示す図であり、無半田接続タイプのコネクタが適用されたイヤホンのＡ−Ａ断面図である。
【図６】本発明の第１実施形態に係る受話器のイヤホンのケーブル接続解除状態を示す図であり、無半田接続タイプのコネクタが適用されたイヤホンのＢ−Ｂ断面図である。
【図７】本発明の第１実施形態に係る受話器のイヤホンのケーブル接続状態を示す図であり、半田接続タイプのコネクタが適用されたイヤホンのＡ−Ａ断面図である。
【図８】本発明の第１実施形態に係る受話器のコネクタの接続解除状態を示す図であり、（ａ）は半田接続タイプのコネクタを示す背面側斜視図、（ｂ）は半田接続タイプのコネクタを示す正面側斜視図である。
【図９】本発明の第１実施形態に係る受話器のコネクタの接続解除状態を示す図であり、（ａ）は半田接続タイプのコネクタを示す側面図、（ｂ）は半田接続タイプのコネクタを示すＣ−Ｃ断面図である。
【図１０】本発明の第１実施形態に係る受話器のコネクタのケーブル側コネクタ（無半田接続タイプ）とケーブルの接続構造を示す側面図である。
【図１１】本発明の第２実施形態に係る受話器のコネクタの本体側外部接点を示す斜視図である。
【図１２】本発明の第２実施形態に係る受話器のコネクタが適用されたイヤホンのケーブル接続状態を示すＡ−Ａ断面図である。
【図１３】本発明の第２実施形態に係る受話器のコネクタが適用されたイヤホンのケーブル接続状態を示すＤ−Ｄ断面図である。
【図１４】本発明の第２実施形態に係る受話器のコネクタが適用されたイヤホンのケーブル接続状態を示すＥ−Ｅ断面図である。
【発明を実施するための形態】
【００１１】
以下、本発明に係る好適な実施形態について、受話器の例としてイヤホンを図面を参照しながら詳細に説明する。なお、実施形態の説明の全体を通じて同じ要素には同じ符号を付して説明する。
【００１２】
図１及び図２に示すように、イヤホン１０は、ユーザの耳に装着されるイヤホン本体２０と、一端側がイヤホン本体２０に接続されるケーブル３０とを備える。ケーブル３０は、他端側に備えるコネクタ（図示せず）を介して音楽プレーヤ、テレビ、ラジオ等の音響機器（図示せず）に接続され、音響機器から出力される電気信号をイヤホン本体２０に入力する。そして、イヤホン本体２０は、ケーブル３０から入力される電気信号を音に変換して出力する。
【００１３】
図３及び図４に示すように、イヤホン本体２０とケーブル３０は、コネクタ１を介して電気的に接続される。コネクタ１は、ケーブル３０側に設けられるケーブル側コネクタ１００と、イヤホン本体２０側に設けられるイヤホン本体側コネクタ２００とを備えて構成され、ケーブル側コネクタ１００とイヤホン本体側コネクタ２００の嵌合により、ケーブル３０がイヤホン本体２０に接続され、ケーブル側コネクタ１００とイヤホン本体側コネクタ２００の嵌合解除により、ケーブル３０がイヤホン本体２０から分離される。これにより、ケーブル３０に断線等の不具合が発生した場合、ケーブル３０だけの交換が可能になる。
【００１４】
図５及び図６に示すように、イヤホン本体２０は、電気信号を音に変換するドライバユニット２１と、ドライバユニット２１を収容する前筐体２２及び後筐体２３と、ユーザの耳に挿入されるイヤーパッド２４とを備える。
【００１５】
前筐体２２は、ドライバユニット２１を収容する大径筒部２２ａと、大径筒部２２ａから前方に突出し、その外周側にイヤーパッド２４が装着される小径筒部２２ｂとを一体的に備える。小径筒部２２ｂの前端部には、開口した音導口２２ｃが形成されており、ここからドライバユニット２１の発生音が出力されるとともに、出力された音がイヤーパッド２４の音導孔２４ａを介してユーザの耳のなかに伝播される。
【００１６】
後筐体２３は、前筐体２２の大径筒部２２ａと連続する大径筒部２３ａと、大径筒部２３ａの後端を塞ぐ蓋部２３ｂとを一体的に備える。前筐体２２と後筐体２３の突き合せ面には、半円状の凹部２２ｄ、２３ｄが形成されており、凹部２２ｄ、２３ｄ同士を突き合せて形成される円形の孔部にイヤホン本体側コネクタ２００が組み込まれる。そして、イヤホン本体側コネクタ２００は、一対の導線２５、２６を介してドライバ２１に電気的に接続される。イヤホン本体側コネクタ２００と後筐体２３は圧入や接着剤等で固定され、イヤホン本体側コネクタ２００が後筐体２３に対して回転しないよう固定される。凹部２２ｄ、２３ｄを半円状ではなく矩形とし、イヤホン本体側コネクタ２００の外形を矩形として回り止めとしても良い。このように、イヤホン本体側コネクタ２００を後筐体２３に対し回り止めすることで、コネクタ１をねじ止めにより繋ぐことができる。
【００１７】
図５及び図６に示すように、ケーブル３０の一端部には、ケーブル側コネクタ１００が設けられる。ケーブル側コネクタ１００は、ケーブル３０内を通る一対の導線３１、３２に電気的に接続されるとともに、先端部を除く部分が筒状のカバー３３で覆われる。
【００１８】
本実施形態では、ケーブル側コネクタ１００を雄コネクタであるプラグコネクタ、イヤホン本体側コネクタ２００を雌コネクタであるリセプタクルコネクタとしているが、逆に、ケーブル側コネクタ１００をリセプタクルコネクタ、イヤホン本体側コネクタ２００をプラグコネクタとしてもよい。
【００１９】
また、図５及び図６に示すケーブル側コネクタ１００は、ケーブル３０の導線３１、３２を半田付けなしで接続可能な無半田接続タイプとしているが、図７に示すように、ケーブル３０の導線３１、３２を半田付けで接続する半田接続タイプとしてもよい。
【００２０】
つぎに、本発明の第１実施形態に係るコネクタ１の具体的な構成について、図８〜図１０を参照して説明する。
【００２１】
図８及び図９に示すように、本発明の実施形態に係るコネクタ１は、超小型の同軸コネクタであり、たとえば、ケーブル側コネクタ１００の嵌合部外径が２ｍｍ、イヤホン本体側コネクタ２００の外径が２．５ｍｍに設定されている。
【００２２】
ケーブル側コネクタ１００は、筒状の導体で構成されるケーブル側外部接点１５０と、ケーブル側外部接点１５０の内部に配置される筒状のケーブル側絶縁体１１０と、ケーブル側絶縁体１１０の内部に配置されるピン状のケーブル側内部接点１６０と、ケーブル側外部接点１５０の外周部に装着されるワッシャ状のねじ緩み防止部材１２０とを備える。
【００２３】
また、イヤホン本体側コネクタ２００は、筒状の導体で構成されるイヤホン本体側外部接点２５０と、イヤホン本体側外部接点２５０の内部に配置される筒状のイヤホン本体側絶縁体２１０と、イヤホン本体側絶縁体２１０の内部に配置される先割れピン形状のイヤホン本体側内部接点２６０とを備える。
【００２４】
そして、ケーブル側コネクタ１００とイヤホン本体側コネクタ２００は、ケーブル側外部接点１５０とイヤホン本体側外部接点２５０との嵌合に応じて、外部接点１５０、２５０同士及び内部接点１６０、２６０同士が電気的に接続される同軸コネクタを構成している。以下、ケーブル側コネクタ１００及びイヤホン本体側コネクタ２００の各部について説明する。
【００２５】
ケーブル側外部接点１５０は、全体として円筒形状を有する導体で形成されており、ケーブル３０の導線３１に接続される接続部１５１と、カバー３３に固定される固定部１５２と、イヤホン本体側外部接点２５０に嵌合される嵌合凸部１５３と、嵌合時にイヤホン本体側外部接点２５０と接触する接触部１５４とを備える。
【００２６】
接続部１５１は、固定部１５２の後端部であり、嵌合凸部１５３は、固定部１５２の前端部に突出状に形成される。嵌合凸部１５３は、イヤホン本体側外部接点２５０に対して内嵌状に嵌合され、その外周面がイヤホン本体側外部接点２５０と接触する接触部１５４となる。そして、接触部１５４には、イヤホン本体側外部接点２５０とのねじ嵌合を実現するためのねじ溝１５５が形成される。
【００２７】
なお、無半田接続タイプの場合は、図１０に示すように、ケーブル側外部接点１５０にコレクトチャック式を用いる場合の接続部１５１には接続凸部１５１ａが付与される。コレクトチャック式の接続部１５１にケーブル３０の導線３１を接続する場合は、導線３１をケーブル３０の外周側に折り返すとともに、その上に銅箔テープ３４を巻き、コレクトチャック式の接続部１５１に設けられた接続凸部１５１ａで挟み込む。図１２に示すように、第２の実施形態に示すカバー３３に形成した傾斜部３３ａで接続部１５１を押圧することにより接続凸部１５１ａを銅箔テープ３４へ押し当てる。このようにケーブル側コネクタ１００を無半田で構成することで、半田作業を省くことができ、ケーブルが破損した場合などでも交換が容易である。
【００２８】
本実施形態のケーブル側外部接点１５０では、固定部１５２よりも嵌合凸部１５３の外径を小さくし、固定部１５２と嵌合凸部１５３の外周部間に段差面１５６を形成するとともに、この段差面１５６に当接するようにワッシャ状のねじ緩み防止部材１２０を装着している。ねじ緩み防止部材１２０の材質は限定されないが、圧縮状態で大きな摩擦力を発生させる弾性素材が好ましく、それ以外にも緩み防止に効果のあるスプリングワッシャ、菊座ワッシャ等が用いられてもよい。
【００２９】
ケーブル側絶縁体１１０は、全体として円筒形状を有する絶縁体で形成されており、ケーブル側外部接点１５０の後部開口から圧入される。ケーブル側外部接点１５０の内周部及びケーブル側絶縁体１１０の外周部には、段差面１５７、１１１が形成されており、段差面１５７、１１１同士が当接することでケーブル側外部接点１５０に対するケーブル側絶縁体１１０の圧入位置が規定される。
【００３０】
ケーブル側内部接点１６０は、全体としてピン形状の導体で形成されており、ケーブル３０の導線３２に接続される接続部１６１と、ケーブル側絶縁体１１０に固定される固定部１６２と、イヤホン本体側内部接点２６０と接触する接触部１６３とを備える。接続部１６１は、固定部１６２の後端部に形成され、接触部１６３は、固定部１６２の前端部に突出状に形成される。
【００３１】
ケーブル側内部接点１６０は、ケーブル側絶縁体１１０の後部開口から圧入される。ケーブル側内部接点１６０の後端部には、段差面１６４が形成されており、段差面１６４がケーブル側絶縁体１１０の後端面に当接することでケーブル側絶縁体１１０に対するケーブル側内部接点１６０の圧入位置が規定される。
【００３２】
イヤホン本体側外部接点２５０は、全体として円筒形状を有する導体で形成されており、イヤホン本体２０の導線２５に接続される接続部２５１と、イヤホン本体２０の筐体２２、２３に固定される固定部２５２と、ケーブル側外部接点１５０と嵌合する嵌合凹部２５３と、嵌合時にケーブル側外部接点１５０と接触する接触部２５４とを備える。
【００３３】
接続部２５１は、固定部２５２の後端部であり、嵌合凹部２５３は、固定部２５２の内周部前側部分である。嵌合凹部２５３は、ケーブル側外部接点１５０に対して外嵌状に嵌合され、その内周面がケーブル側外部接点１５０と接触する接触部２５４となる。そして、接触部２５４には、ケーブル側外部接点１５０とのねじ嵌合を実現するためのねじ溝２５５が形成される。
【００３４】
イヤホン本体側絶縁体２１０は、全体として円筒形状を有する絶縁体で形成されており、イヤホン本体側外部接点２５０の後部開口から圧入される。イヤホン本体側外部接点２５０の内周部には、イヤホン本体側絶縁体２１０の圧入空間と嵌合凹部２５３とを仕切る凸部２５６が形成されており、この凸部２５６にイヤホン本体側絶縁体２１０の前端が当接することでイヤホン本体側外部接点２５０に対するイヤホン本体側絶縁体２１０の圧入位置が規定される。
【００３５】
イヤホン本体側内部接点２６０は、全体として先割れピン形状の導体で形成されており、イヤホン本体２０の導線２６に接続される接続部２６１と、イヤホン本体側絶縁体２１０に固定される固定部２６２と、ケーブル側内部接点１６０と接触する接触部２６３とを備える。接続部２６１は、固定部２６２の後端部に形成され、接触部２６３は、固定部２６２の前端部に突出状に形成される。
【００３６】
イヤホン本体側内部接点２６０は、イヤホン本体側絶縁体２１０の後部開口から圧入される。イヤホン本体側内部接点２６０の後端部には、段差面２６４が形成されており、段差面２６４がイヤホン本体側絶縁体２１０の後端面に当接することでイヤホン本体側絶縁体２１０に対するイヤホン本体側内部接点２６０の圧入位置が規定される。
【００３７】
以上のように構成されたコネクタ１の接続手順について、図５、図６及び図９を参照して説明する。なお、コネクタ１の接続解除は、接続手順と逆の手順により行うことができる。
【００３８】
図６及び図９に示すような接続解除状態のコネクタ１を、図５に示すように接続状態とするには、イヤホン本体２０を一方の手で持ち、他方の手でケーブル３０のケーブル側コネクタ１００部分を持つ。つぎに、ケーブル側コネクタ１００のケーブル側外部接点１５０と、イヤホン本体側コネクタ２００のイヤホン本体側外部接点２５０を位置合わせし、ケーブル側外部接点１５０の嵌合凸部１５３とイヤホン本体側外部接点２５０の嵌合凹部２５３を嵌合させる。
【００３９】
外部接点１５０、２５０同士の嵌合は、ねじ嵌合により行われる。具体的には、ケーブル側コネクタ１００又はイヤホン本体側コネクタ２００を相対的に回し操作することにより、ケーブル側外部接点１５０の嵌合凸部１５３に形成されるねじ溝１５５と、イヤホン本体側外部接点２５０の嵌合凹部２５３に形成されるねじ溝２５５を螺合させる。これにより、ケーブル側コネクタ１００とイヤホン本体側コネクタ２００は、外部端子１５０、２５０同士のねじ嵌合により、ケーブル引張り方向に対して抜止め状態で接続されるので、イヤホン１０の使用中にケーブル３０が引張られても、接続が解除されることはない。
【００４０】
また、外部接点１５０、２５０同士をねじ嵌合すると、ケーブル側コネクタ１００に設けられるねじ緩み防止部材１２０が両外部接点１５０、２５０間で圧縮される。そして、圧縮状態のねじ緩み防止部材１２０は、ねじ嵌合した両外部接点１５０、２５０に弾性的に接触しつつ、両外部接点１５０、２５０との間に摩擦力を発生させるので、ねじ嵌合の緩みを防止することができる。
【００４１】
なお、内部接点１６０、２６０同士は、外部接点１５０、２５０同士をねじ嵌合する過程で接続される。具体的には、ケーブル側内部接点１６０の接触部１６３が、イヤホン本体側内部接点２６０の先割れピン形状の接触部２６３に割り入ることにより、内部接点１６０、２６０同士が弾性的に接触し、電気的に接続される。
【００４２】
つぎに、本発明の第２実施形態に係る受話器とその受話器に用いられるコネクタ１Ｂについて、図１１以降を参照して説明する。ただし、前記実施形態と共通する部分は、前記実施形態と同じ符号を付与し、説明を省略する。
【００４３】
図１１に示すように、本発明の第２実施形態に係るコネクタ１Ｂは、イヤホン本体側外部接点２５０Ｂが、イヤホン本体２０の内部に係合してイヤホン本体側外部接点２５０Ｂを回止めする回止め係合部２５７を一体的に備える点が前記実施形態と相違している。たとえば、図１１に示す回止め係合部２５７は、イヤホン本体側外部接点２５０Ｂの後端部（接続部２５１）に形成される正方形のフランジ部２５７ａと、フランジ部２５７ａの４つの角部に突設される係合凸部２５７ｂとを備え、これらの係合凸部２５７ｂをイヤホン本体２０の内部に係合させることにより、イヤホン本体側外部接点２５０Ｂが回止めされる。
【００４４】
このようにすると、外部接点１５０、２５０Ｂ同士のねじ嵌合操作やその解除操作に際して、イヤホン本体側外部接点２５０Ｂに回し方向の力が作用するイヤホン用コネクタ１Ｂでありながら、簡易な回止め構造により、イヤホン本体側外部接点２５０Ｂを確実に回止めすることができる。以下、具体的なイヤホン本体側外部接点２５０Ｂの回止め構造について説明する。
【００４５】
図１２から図１４に示すように、第２実施形態のイヤホン本体４０は、電気信号を音に変換するドライバユニット４１と、筐体を構成する前筐体４２、中筐体４３及び後筐体４４と、ユーザの耳に挿入されるイヤーパッド４５と、イヤホン本体側コネクタ２００Ｂを保持する一対のコネクタ保持部材４６、４７とを備える。
【００４６】
ドライバユニット４１は、中筐体４３に収容されており、中筐体４３の前側が前筐体４２で覆われ、中筐体４３の後側が後筐体４４で覆われる。イヤホン本体側コネクタ２００Ｂは、一対のコネクタ保持部材４６、４７に保持された状態で、中筐体４３と後筐体４４との間に挟み込む状態でイヤホン本体４０に組込まれる。
【００４７】
一対のコネクタ保持部材４６、４７は、左右対称形であり、図１４に示すように、イヤホン本体側コネクタ２００Ｂを左右から挟み込むとともに、イヤホン本体側外部接点２５０Ｂのフランジ部２５７ａに係合してイヤホン本体側コネクタ２００Ｂを抜止め状態で保持する。
【００４８】
さらに、一対のコネクタ保持部材４６、４７は、図１３に示すように、イヤホン本体側外部接点２５０Ｂの係合凸部２５７ｂに係合する係合部４６ａ、４７ａを備えている。係合部４６ａ、４７ａはフランジ部２５７ａの４つの角部に形成された係合凸部２５７ｂの間に側方から進入し、イヤホン本体側コネクタ２００Ｂを回止め状態で保持する。そして、イヤホン本体側コネクタ２００Ｂを回止め状態で保持した一対のコネクタ保持部材４６、４７が中筐体４３と後筐体４４との間に挟み込む状態でイヤホン本体４０に組込まれる。さらに本第２実施形態では、図１３に示すようにイヤホン本体側コネクタ２００Ｂのイヤホン本体側内部接点２６０の本体側端部２６０ａを矩形状に形成して突出させ、係合部４６ａ、４７ａの先端面４６ｂ、４７ｂで挟み込むようにする。先端面４６ｂ、４７ｂで本体側端部２６０ａを挟み込むことでイヤホン本体側コネクタ２００Ｂにケーブル側コネクタ１００をねじ込んだ際イヤホン本体側内部接点２６０を回止め状態で保持することができる。このように回止めを構成することで、部材を組み付けるだけでイヤホン本体側外部接点２５０Ｂとイヤホン本体側内部接点２６０を本体４０に対して容易に回止め状態とすることができ、コネクタ１Ｂを確実に繋ぐことができる。また、この第２実施形態ではカバー３３の内周面に傾斜部３３ａとねじ部３３ｂを形成し、ケーブル側外側接点１５０の接続部１５１外周面にねじ部１５１ｂを形成する。カバー３３をねじ込んでケーブル側コネクタ１００に取り付けることで、傾斜部３３ｂにより図１０に示す接続部１５１の接続凸部１５１ａを銅箔３４へ押圧し、コレクトチャック式接続とすることができる。
【００４９】
以上、本発明の好ましい実施形態について詳述したが、本発明は上述した実施形態に限定されるものではなく、特許請求の範囲に記載された本発明の要旨の範囲内において、種々の変形、変更が可能である。
【符号の説明】
【００５０】
１、１Ｂ…イヤホン用コネクタ、１００…ケーブル側コネクタ、１１０…ケーブル側絶縁体、１２０…ねじ緩み防止部材、１５０…ケーブル側外部接点、１５１…接続部、１５１ａ…接続凸部、１５１ｂ…ねじ部、１５２…固定部、１５３…嵌合凸部、１５４…接触部、１５５…ねじ溝、１５６…段差面、１５７…段差面、１６０…ケーブル側内部接点、１６１…接続部、１６２…固定部、１６３…接触部、１６４…段差面、２００、２００Ｂ…イヤホン本体側コネクタ、２１０…イヤホン本体側絶縁体、２５０、２５０Ｂ…イヤホン本体側外部接点、２５１…接続部、２５２…固定部、２５３…嵌合凹部、２５４…接触部、２５５…ねじ溝、２５６…凸部、２５７…回止め係合部、２５７ａ…フランジ部、２５７ｂ…係合凸部、２６０…イヤホン本体側内部接点、２６０ａ…本体側端部、２６１…接続部、２６２…固定部、２６３…接触部、２６４…段差面、１０…イヤホン、２０…イヤホン本体、２１…ドライバユニット、２２…前筐体、２２ａ…大径筒部、２２ｂ…小径筒部、２２ｃ…音導口、２２ｄ…凹部、２３…後筐体、２３ａ…大径筒部、２３ｂ…蓋部、２３ｄ…凹部、２４…イヤーパッド、２４ａ…音導孔、２５…導線、２６…導線、３０…ケーブル、３１…導線、３２…導線、３３…カバー、３３ａ…傾斜部、３３ｂ…ねじ部、３４…銅箔テープ、４０…イヤホン本体、４１…ドライバユニット、４２…前筐体、４３…中筐体、４４…後筐体、４５…イヤーパッド、４６、４７…コネクタ保持部材、４６ａ、４７ａ…係合部、４６ｂ、４７ｂ…先端面
【図１】
2015076769.tif 000003
【図２】
2015076769.tif 000004
【図３】
2015076769.tif 000005
【図４】
2015076769.tif 000006
【図５】
2015076769.tif 000007
【図６】
2015076769.tif 000008
【図７】
2015076769.tif 000009
【図８】
2015076769.tif 000010
【図９】
2015076769.tif 000011
【図１０】
2015076769.tif 000012
【図１１】
2015076769.tif 000013
【図１２】
2015076769.tif 000014
【図１３】
2015076769.tif 000015
【図１４】
2015076769.tif 000016